(57)【要約】【課題】ＡＭ受信中にＦＭ帯域の強入力２波が静電破壊防止回路のダイオードで歪んでＡＭ帯域に妨害波として混入する不具合を防止すること。【解決手段】ＡＭ／ＦＭチューナ１の入力端子１ａに、ＡＭ帯域の放送信号を受信するＡＭ放送信号受信回路２と、ＦＭ帯域の放送信号を受信するＦＭ放送信号受信回路３とを並列に接続する。ＡＭ放送信号受信回路２の入力段にＦＭ帯カットフィルタ５を設け、ＦＭ帯カットフィルタ５の出力端と高周波増幅回路６の入力端との間に静電破壊防止回路７を設ける。ＡＭ受信時にＦＭ帯域の強入力２波が静電破壊防止回路７で歪む前に、ＦＭ帯カットフィルタ５で減衰させてＡＭ帯域に妨害波として混入する不具合を防止する。【選択図】図１
2008177627.tif 000002
【特許請求の範囲】
【請求項１】
ＡＭ放送信号及びＦＭ放送信号が入力される入力端子と、
前記入力端子に接続されＡＭ放送信号を受信する第一の受信回路と、
前記入力端子に接続されＦＭ放送信号を受信する第二の受信回路と、
前記第一の受信回路に設けられＦＭ帯域を減衰させるフィルタと、
前記フィルタの後段に設けられ能動素子を搭載した高周波回路と、
前記フィルタと前記高周波回路との間の線路とグラウンドとの間に設けられた静電対策用のダイオードと、
を具備したことを特徴とするＡＭ／ＦＭチューナ。
【請求項２】
前記フィルタは、ＡＭ帯域を通過帯域とすると共にＦＭ帯域を阻止帯域としたローパスフィルタ又はトラップフィルタであることを特徴とする請求項１記載のＡＭ／ＦＭチューナ。
【請求項３】
前記高周波回路は、増幅回路であることを特徴とする請求項１又は請求項２記載のＡＭ／ＦＭチューナ。
【発明の詳細な説明】
【技術分野】
【０００１】
本発明は、アンテナ素子に接続された共通の入力端子からＡＭ放送信号及びＦＭ放送信号を取り込んで受信するＡＭ／ＦＭチューナに関する。
【背景技術】
【０００２】
従来、チューナに搭載されたＦＥＴ等の能動素子を、静電気（誘導雷又は人体に帯電した静電気等）による静電破壊から保護するために静電破壊防止回路が備えられている（例えば、特許文献１参照）。図２は特許文献１に記載されたテレビジョンチューナの静電破壊防止回路の構成図である。同図に示すように、アンテナに接続される入力端１１にテレビジョン信号の最低周波数以上を通過するハイパスフィルタ１２を介して全てのテレビジョン信号を増幅する低雑音の広帯域増幅器１４を接続し、入力端１１と広帯域増幅器１４との間に静電放電素子１３を備えている。ハイパスフィルタ１２は、入力端１１と広帯域増幅器１４との間に直列に介挿された容量素子１２ｂと、容量素子１２ｂの入力端１１側の一端をグランドにシャントする第一のインダクタンス素子１２ａと、容量素子１２ｂの他端をグランドにシャントする第二のインダクタンス素子１２ｃとを少なくとも有するπ型フィルタで構成し、入力端１１と容量素子１２ｂとの間の信号線路を静電放電素子１３によってグランドに接続した構成となっている。
【０００３】
以上の構成において、人体等に帯電した静電気や、誘導雷等の衝撃波が入力端１１に印加された場合は、衝撃波を静電放電素子１３によってグランドにバイパスしてそのレベルを下げることができる。
【０００４】
図３は上記同様にチューナ入力段に静電破壊防止回路を設けたＡＭ／ＦＭチューナの構成図である。ＡＭ／ＦＭチューナ２０の入力端子２０ａに接続されたアンテナ２１からＡＭ放送信号及びＦＭ放送信号が供給される。入力端子２０ａには、ＡＭ放送信号受信回路２２及びＦＭ放送信号受信回路２３が並列に接続されている。ＡＭ放送信号受信回路２２は、その入力段にＦＭ帯域を減衰させるＦＭ帯カットフィルタ２４が設けられ、ＦＭ帯カットフィルタ２４を通過したＡＭ放送信号をＦＥＴ等の能動素子からなる高周波増幅器２５へ入力している。高周波増幅器２５の出力信号を図示していない回路に入力して選局されたＡＭ放送信号を受信する。
【０００５】
静電対策用のダイオードで構成された静電破壊防止回路２６は、入力端子２０ａの直後であってＡＭ放送信号受信回路２２及びＦＭ放送信号受信回路２３に分岐する手前に設けられている。これにより、人体等に帯電した静電気や誘導雷等の衝撃波が入力端子２０ａに印加された場合は、静電破壊防止回路２６によってグランドにバイパスしてＡＭ放送信号受信回路２２及びＦＭ放送信号受信回路２３に突入する過大な衝撃波（直流）を抑制している。
【特許文献１】特開２００２−２４６９３４号公報
【発明の開示】
【発明が解決しようとする課題】
【０００６】
しかしながら、図３に示すＡＭ／ＦＭチューナのようにチューナ入力段に静電破壊防止回路２６を設けた場合、ＡＭ受信中にＦＭ帯域の強入力２波が静電破壊防止回路２６で歪んでＡＭ帯域に妨害波として混入する可能性がある。ＦＭ強入力２波の周波数差がＡＭ帯域となる場合は、両者の差の周波数成分がＡＭ帯域に妨害波として混入するという問題がある。
【０００７】
本発明は、かかる点に鑑みてなされたものであり、ＡＭ受信中にＦＭ帯域の強入力２波が静電破壊防止回路のダイオードで歪んでＡＭ帯域に妨害波として混入する不具合を防止でき、静電対策用の部品点数を増やすことなく、静電対策と妨害波対策を同時に実現できるＡＭ／ＦＭチューナを提供することを目的とする。
【課題を解決するための手段】
【０００８】
本発明のＡＭ／ＦＭチューナは、ＡＭ放送信号及びＦＭ放送信号が入力される入力端子と、前記入力端子に接続されＡＭ放送信号を受信する第一の受信回路と、前記入力端子に接続されＦＭ放送信号を受信する第二の受信回路と、前記第一の受信回路に設けられＦＭ帯域を減衰させるフィルタと、前記フィルタの後段に設けられ能動素子を搭載した高周波回路と、前記フィルタと前記高周波回路との間の線路とグラウンドとの間に設けられた静電対策用のダイオードとを具備したことを特徴とする。
【０００９】
この構成によれば、ＦＭ帯域を減衰させるフィルタと高周波回路との間の線路とグラウンドとの間に静電対策用のダイオードを設けたので、第一の受信回路に入力したＦＭ放送信号は静電対策用のダイオードに至る手前でフィルタで減衰される。したがって、ＡＭ受信時にＦＭ帯域の強入力２波が静電対策用のダイオードで歪んでＡＭ帯域に妨害波として混入する不具合を防止することができる。
【００１０】
上記ＡＭ／ＦＭチューナにおいて、前記フィルタは、ＡＭ帯域を通過帯域とすると共にＦＭ帯域を阻止帯域としたローパスフィルタ又はトラップフィルタで構成することができる。
【００１１】
また、上記ＡＭ／ＦＭチューナにおいて、前記高周波回路は、増幅回路であることを特徴とする。
【発明の効果】
【００１２】
本発明によれば、ＡＭ受信中にＦＭ帯域の強入力２波が静電破壊防止回路のダイオードで歪んでＡＭ帯域に妨害波として混入する不具合を防止でき、静電対策用の部品点数を増やすことなく、静電対策と妨害波対策を同時に実現できる。
【発明を実施するための最良の形態】
【００１３】
以下、本発明の実施の形態について添付図面を参照して詳細に説明する。
図１は本発明の一実施の形態に係るＡＭ／ＦＭチューナの構成図である。
本実施の形態に係るＡＭ／ＦＭチューナ１は、ＡＭ帯域の放送信号を受信するＡＭ放送信号受信回路２と、ＦＭ帯域の放送信号を受信するＦＭ放送信号受信回路３とを備えている。ＡＭ／ＦＭチューナ１の入力端子１ａにはアンテナ４が接続されており、当該入力端子１ａにＡＭ放送信号及びＦＭ放送信号が共に供給される。ＡＭ放送信号受信回路２は、入力端子１ａから入力する放送信号のうちＦＭ帯域をカットしてＡＭ帯域の放送信号を取り出すＦＭ帯カットフィルタ５を備える。ＦＭ帯カットフィルタ５は、ＡＭ帯域を通過帯域とすると共にＦＭ帯域を阻止帯域とする周波数特性を有するローパスフィルタ又はトラップフィルタで構成することができる。ＦＭ帯カットフィルタ５の出力端には、ＦＥＴで構成される高周波増幅回路６の入力端が接続されている。高周波増幅回路６のＦＥＴに静電気による衝撃波が印加されると静電破壊を起こす可能性があるため、高周波増幅回路６の前段（入力端子１ａ寄り）に静電破壊防止回路７を設ける必要がある。
【００１４】
本実施の形態は、ＦＭ帯カットフィルタ５の出力端と高周波増幅回路６の入力端との間に静電破壊防止回路７を設けた構成としている。静電破壊防止回路７は、逆並列に接続された一対の静電対策用ダイオード７ａ，７ｂで構成されており、ＦＭ帯カットフィルタ５の出力端とグラウンドとの間に設けられている。
【００１５】
ＦＭ放送信号受信回路３は、ＡＭ／ＦＭチューナ１の入力端子１ａに対してＡＭ放送信号受信回路２と並列に接続されている。ＦＭ放送信号受信回路３は、図示していない集積回路の前段にトランス等の受動素子で構成された受動回路が設けられている。後述するように、ＡＭ／ＦＭチューナ１の入力端子１ａに印加された静電気は、主にＦＭ帯カットフィルタ５及び静電破壊防止回路７を経由してグラウンドに流れるが、ＦＭ放送信号受信回路３に静電気の一部が流れ込んだとしても集積回路の手前で受動素子を介してグラウンドに流れることとなる。
【００１６】
次に、以上のように構成された本実施の形態の動作について説明する。
ＡＭ／ＦＭチューナ１の入力端子１ａに誘導雷又は人体に帯電した静電気等による過大な信号が印加されたものとする。誘導雷又は人体に帯電した静電気等により生じる過大な信号はＦＭ帯域に比べて低周波数である。このため、入力端子１ａに誘導雷又は人体に帯電した静電気等による過大な信号が印加された場合、ＦＭ帯カットフィルタ５の出力端をグラウンドに接続している静電破壊防止回路７に流れ込むことになる。過大信号が正電圧であれば、一方の静電対策用ダイオード７ａがオンして過大信号がグラウンドに放出される。また、過大信号が負電圧であれば、他方の静電対策用ダイオード７ｂがオンして過大信号がグラウンドに放出される。したがって、ＡＭ放送信号受信回路２に搭載された能動素子である高周波増幅回路６が静電気により破壊されるのを防止できる。
【００１７】
本実施の形態では、静電破壊防止回路７がＡＭ放送信号受信回路２及びＦＭ放送信号受信回路３の双方の入力段ではなく、ＡＭ放送信号受信回路２内のＦＭ帯カットフィルタ５の出力端に接続されている。しかしながら、静電破壊防止回路７はＦＭ放送信号受信回路３に対する静電対策回路としても機能している。上述したように、誘導雷又は人体に帯電した静電気等により生じる過大な信号はＦＭ帯域に比べて低周波数であるので、入力端子１ａに印加される静電気などによる過大信号は主にＦＭ帯カットフィルタ５及び静電破壊防止回路７を介してグラウンドに流れ、ＦＭ放送信号受信回路３へ流れ込む信号は大幅に低減されている。しかも、ＦＭ放送信号受信回路３において静電気等に弱い集積回路の前段にグラウンドに接続されたトランス等の受動素子が配置されるので、ＦＭ放送信号受信回路３に通常の信号レベルよりも高い信号が流れ込んだとしても、集積回路の前段でグラウンドに放出されることとなり、集積回路自体は静電気から確実に保護される。
【００１８】
一方、ＡＭ放送信号受信回路２でＡＭ受信時に、入力端子１ａに対してＦＭ帯域の強入力２波が入力した場合、ＡＭ放送信号受信回路２及びＦＭ放送信号受信回路３へ並列に入力される。特に、ＡＭ放送信号受信回路２では静電破壊防止回路７に到達する前にＦＭ帯カットフィルタ５でＦＭ放送信号が減衰されてしまう。したがって、ＡＭ受信時にＦＭ帯域の強入力２波が入力端子１ａに印加されたとしても、静電破壊防止回路７に到達する前に減衰されるので、静電破壊防止回路７で歪んでＡＭ帯域に妨害波が混入する不具合を防止することができる。
【００１９】
以上のように本実施の形態によれば、ＡＭ放送信号受信回路２のＦＭ帯カットフィルタ５の出力端と高周波増幅回路６の入力端との間に静電破壊防止回路７を設けたので、ＡＭ受信時にＦＭ帯域の強入力２波が静電破壊防止回路７で歪んでＡＭ帯域に妨害波として混入する不具合を防止することができる。
【産業上の利用可能性】
【００２０】
本発明は、ＡＭ放送信号及びＦＭ放送信号が印加されると共に受信回路に対する静電対策が施されたＡＭ／ＦＭチューナに適用可能である。
【図面の簡単な説明】
【００２１】
【図１】本発明の一実施の形態に係るＡＭ／ＦＭチューナの構成図
【図２】従来の静電対策が施されたテレビジョンチューナの構成図
【図３】従来の静電対策が施されたＡＭ／ＦＭチューナの構成図
【符号の説明】
【００２２】
１…ＡＭ／ＦＭチューナ
１ａ…入力端子
２…ＡＭ放送信号受信回路
３…ＦＭ放送信号受信回路
４…アンテナ
５…ＦＭ帯カットフィルタ
６…高周波増幅回路
７…静電破壊防止回路
７ａ，７ｂ…静電対策用ダイオード
【図１】
2008177627.tif 000003
【図２】
2008177627.tif 000004
【図３】
2008177627.tif 000005